(57)【要約】【課題】タッチパネルにおいて紫外線照射から生じる問題を回避すること。【解決手段】本発明はタッチパネルを開示し、基板、基板に設置された検出電極層、及び該検出電極層の一方の側に設置され、該検出電極層と光学マッチングを形成し、波長３００ナノメートル〜４００ナノメートルの間で高吸収率を有する第１の吸収材料を含む第１の光学補償フィルムを備える。本発明のタッチパネルは、光学補償フィルムの吸収光帯域を設置することにより、紫外線照射から生じる問題を回避することができる。【選択図】図１Ａ
2016162454.tif 000002
【特許請求の範囲】
【請求項１】
基板、
前記基板に設置された検出電極層、及び
前記検出電極層の一方の側に設置され、
前記検出電極層と光学マッチングを形成し、
波長３００ナノメートル〜４００ナノメートルの間で高吸収率を有する第１の吸収材料を含む、
第１の光学補償フィルム、
を備えることを特徴とするタッチパネル。
【請求項２】
前記第１の光学補償フィルムは、少なくとも１つの第１の屈折率層及び数が同じ少なくとも１つの第２の屈折率層を含み、そのうち、
前記第２の屈折率層が前記第１の吸収材料を含み、且つ
前記第１の屈折率層の屈折率が前記第２の屈折率層の屈折率より低い、
ことを特徴とする請求項１に記載のタッチパネル。
【請求項３】
前記少なくとも１つの第１の屈折率層及び前記少なくとも１つの第２の屈折率層は、前記検出電極層から離れる方向で、まず低屈折率、次に高屈折率で、前記検出電極層の一方の側に交互に積層される、
ことを特徴とする請求項２に記載のタッチパネル。
【請求項４】
前記第１の屈折率層の材料は、酸化ケイ素、フッ化マグネシウム又はその組み合わせである、
ことを特徴とする請求項２又は３に記載のタッチパネル。
【請求項５】
前記第１の屈折率層の屈折率は１．３〜１．５５であり、
前記第２の屈折率層の屈折率は１．６〜２．５である、
ことを特徴とする請求項２〜４のいずれかに記載のタッチパネル。
【請求項６】
前記第１の屈折率層の厚さは１０ナノメートル〜５０ナノメートルであり、
前記第２の屈折率層の厚さは５ナノメートル〜２０ナノメートルである、
ことを特徴とする請求項２〜５のいずれかに記載のタッチパネル。
【請求項７】
前記第１の吸収材料は、窒化ケイ素、酸窒化ケイ素又はその組み合わせである、
ことを特徴とする請求項１〜６のいずれかに記載のタッチパネル。
【請求項８】
前記第１の光学補償フィルムは検出電極層と基板との間に設置され、ここで、
前記第１の光学補償フィルムは前記検出電極層に直接接触する、又は
前記タッチパネルは前記第１の光学補償フィルムと前記検出電極層との間に設置される平坦層を更に備える、
ことを特徴とする請求項１〜７のいずれかに記載のタッチパネル。
【請求項９】
前記基板は強化カバーを兼ねており、
前記基板と前記検出電極層との間に設置され、前記タッチパネルの可視領域と非可視領域を定義することに用いられる遮蔽ユニットを更に備え、
前記第１の光学補償フィルムは前記基板と前記遮蔽ユニットとの間に位置する、
ことを特徴とする請求項１〜７のいずれかに記載のタッチパネル。
【請求項１０】
前記第１の光学補償フィルムは検出電極層と基板との間に設置され、
前記検出電極層の、前記基板に対して他方の側に貼り合わせられるカバーを更に備える、
ことを特徴とする請求項１〜７のいずれかに記載のタッチパネル。
【請求項１１】
前記第１の光学補償フィルムは検出電極層の、基板に対して他方の側に設置され、
前記第１の光学補償フィルムの、前記検出電極層と対向する側に設置されるパッシベーション層を更に備える、又は備えない、
ことを特徴とする請求項１〜７のいずれかに記載のタッチパネル。
【請求項１２】
前記検出電極層の、第１の光学補償フィルムに対して他方の側に設置される第２の光学補償フィルムを更に備え、
前記第２の光学補償フィルム及び前記第１の光学補償フィルムは互いに光学的に組み合わさることで、前記検出電極層に対して光学マッチングを形成し、
前記第２の光学補償フィルムは、波長３００ナノメートル〜４００ナノメートルの間で高吸収率を有する第２の吸収材料を含み、
前記第２の光学補償フィルムは、少なくとも１つの第３の屈折率層及び数が同じ少なくとも１つの第４の屈折率層を備え、そのうち、
前記第４の屈折率層が前記第２の吸収材料を含み、且つ
前記第３の屈折率層の屈折率が前記第４の屈折率層の屈折率より低く、
前記少なくとも１つの第３の屈折率層及び前記少なくとも１つの第４の屈折率層は、前記検出電極層から離れる方向で、まず低屈折率、次に高屈折率で、前記検出電極層の一方の側に交互に積層され、
前記第２の吸収材料は、窒化ケイ素、酸窒化ケイ素又はその組み合わせである、
ことを特徴とする請求項１〜７のいずれかに記載のタッチパネル。
【発明の詳細な説明】
【技術分野】
【０００１】
本発明はタッチパネルに関し、特に光学補償フィルムを有するタッチパネルに関する。
【背景技術】
【０００２】
スマートフォン等のスマート製品の発展に伴い、タッチパネル付きディスプレイが徐々に主流となっている。使用者がスマート製品で情報を検出してタッチ感知を行う時に、優れた視覚体験を有するために、タッチパネルはタッチ感知機能を有するだけでなく、均一な光学特性を持つ必要がある。
【発明の概要】
【発明が解決しようとする課題】
【０００３】
従来のタッチパネルでは、単層検出電極構造が開発されている。このような単層検出電極構造のタッチパネルは軽くて薄いが、検出電極層がエッチングパターンであり、エッチング領域と非エッチング領域で光に対する反応が異なるため、タッチパネルの外観から見て、色差の光学的問題が発生してしまう。一部の単層検出電極式タッチパネルでは光学補償フィルムを設置してこのような色差光学問題を解決しているが、従来の光学補償フィルムは紫外線照射の影響を受けて光学補償フィルムに他の問題、例えば導電を発生させやすい。
【課題を解決するための手段】
【０００４】
本発明の一実施形態は耐紫外線性を有し色差の光学問題を解決できるタッチパネルを提供しており、光学補償フィルムの吸収光帯域を設置することにより、紫外線照射から生じる問題を回避することができる。
【０００５】
本発明の一実施形態は耐紫外線性を有し色差の光学問題を解決できるタッチパネルを提供しており、光学補償フィルムの吸収光帯域を設置することにより、紫外線照射から生じる問題を回避することができる。
【０００６】
本発明の一実施例に係るタッチパネルは、基板、基板に設置された検出電極層、及び該検出電極層の一方の側に設置され、該検出電極層と光学マッチングを形成し、波長３００ナノメートル〜４００ナノメートルの間で高吸収率を有する第１の吸収材料を含む第１の光学補償フィルムを備える。
【０００７】
本発明の１つ又は複数の実施形態では、該第１の光学補償フィルムは、少なくとも１つの第１の屈折率層及び数が同じ少なくとも１つの第２の屈折率層を含み、そのうち、該第２の屈折率層が該第１の吸収材料を含み、且つ該第１の屈折率層の屈折率が該第２の屈折率層の屈折率より低い。
【０００８】
本発明の１つ又は複数の実施形態では、該少なくとも１つの第１の屈折率層及び該少なくとも１つの第２の屈折率層は、該検出電極層から離れる方向で、まず低屈折率、次に高屈折率で、該検出電極層の一方の側に交互に積層される。
【０００９】
本発明の１つ又は複数の実施形態では、該第１の吸収材料は、窒化ケイ素、酸窒化ケイ素又はその組み合わせである。
【００１０】
本発明の１つ又は複数の実施形態では、該第１の屈折率層の材料は、酸化ケイ素、フッ化マグネシウム又はその組み合わせである。
【００１１】
本発明の１つ又は複数の実施形態では、該第１の屈折率層の屈折率は１．３〜１．５５であり、該第２の屈折率層の屈折率は１．６〜２．５である。
【００１２】
本発明の１つ又は複数の実施形態では、該第１の屈折率層の厚さは１０ナノメートル〜５０ナノメートルであり、該第２の屈折率層の厚さは５ナノメートル〜２０ナノメートルである。
【００１３】
本発明の１つ又は複数の実施形態では、該第１の光学補償フィルムは検出電極層と基板との間に設置される。
【００１４】
本発明の１つ又は複数の実施形態では、該第１の光学補償フィルムは検出電極層の基板に対して他方の側に設置される。
【００１５】
本発明の１つ又は複数の実施形態では、タッチパネルは、該第１の光学補償フィルムの該検出電極層と対向する側に設置されるパッシベーション層を更に備える。
【００１６】
本発明の１つ又は複数の実施形態では、該第１の光学補償フィルムは、該検出電極層に直接接触する。
【００１７】
本発明の１つ又は複数の実施形態では、タッチパネルは、該第１の光学補償フィルムと該検出電極層との間に設置される平坦層を更に備える。
【００１８】
本発明の１つ又は複数の実施形態では、タッチパネルは、該検出電極層の第１の光学補償フィルムに対して他方の側に設置される第２の光学補償フィルムを更に備え、該第２の光学補償フィルム及び該第１の光学補償フィルムは組み合わさり、且つ該検出電極層と光学マッチングを形成し、該第２の光学補償フィルムは、波長３００ナノメートル〜４００ナノメートルの間で高吸収率を有する第２の吸収材料を含む。
【００１９】
本発明の１つ又は複数の実施形態では、該第２の光学補償フィルムは、少なくとも１つの第３の屈折率層及び数が同じ少なくとも１つの第４の屈折率層を備え、そのうち、該第４の屈折率層が該第１の吸収材料を含み、且つ該第３の屈折率層の屈折率が該第４の屈折率層の屈折率より低い。
【００２０】
本発明の１つ又は複数の実施形態では、該少なくとも１つの第３の屈折率層及び該少なくとも１つの第４の屈折率層は、該検出電極層から離れる方向で、まず低屈折率、次に高屈折率で、該検出電極層の一方の側に交互に積層される。
【００２１】
本発明の１つ又は複数の実施形態では、第２の吸収材料は、窒化ケイ素、酸窒化ケイ素又はその組み合わせである。
【００２２】
本発明の１つ又は複数の実施形態では、タッチパネルは、該検出電極層の該基板と対向する側に貼り合わせられるカバーを更に備える。
【００２３】
本発明の１つ又は複数の実施形態では、基板は硬質カバーである。
【００２４】
本発明の１つ又は複数の実施形態では、タッチパネルは、該基板と該検出電極層との間の周辺に設置され、該タッチパネルの可視領域と非可視領域を定義することに用いられる遮蔽ユニットを更に備える。
【００２５】
本発明の１つ又は複数の実施形態では、該第１の光学補償フィルムは該基板と該検出電極層との間に設置されると、該第１の光学補償フィルムは該カバーと該遮蔽ユニットとの間に位置する。
【図面の簡単な説明】
【００２６】
【図１Ａ】本発明の一実施形態に係るタッチパネルの断面図である。
【図１Ｂ】本発明の他の実施形態に係るタッチパネルの断面図である。
【図２Ａ】図１Ａに示すタッチパネルの一部の検出電極層の局所上面図である。
【図２Ｂ】図２Ａに示すタッチパネルのＩ−Ｉに沿う断面の検出電極層の局所断面図である。
【図３】本発明の別の実施形態に係るタッチパネルの断面図である。
【図４】本発明のさらなる実施形態に係るタッチパネルの断面図である。
【図５】本発明の他の実施形態に係るタッチパネルの断面図である。
【発明を実施するための形態】
【００２７】
以下、図面を参照しながら本発明の複数の実施形態を説明し、説明を明らかにするために、数多くの実務上の細部については、以下の記述において一括して説明する。しかしながら、これらの実務上の細部は、本発明を限定するためのものではないことが理解されるべきである。即ち、本発明の一部の実施形態において、これらの実務上の細部は、必要ではない。また、図面を簡素化するために、いくつかの公知の構造とユニットについては、簡単かつ模式的に図示する。
【００２８】
本発明の図に示す複数のユニットは本発明の複数の実施形態を模式的に説明するためのものに過ぎず、その相対的な幅又は相対的な厚さ等で本発明の範囲を制限すべきではない。
【００２９】
図１Ａを参照すると、図１Ａは本発明の一実施形態に係るタッチパネル１００の断面図である。本発明の一実施例に係るタッチパネル１００は、基板１０２、検出電極層１１０及び第１の光学補償フィルム１２０を備える。検出電極層１１０は基板１０２に設置され、第１の光学補償フィルム１２０は検出電極層１１０の一方の側に設置され、本実施形態では、第１の光学補償フィルム１２０は検出電極層１１０と基板１０２との間に設置される。検出電極層１１０と光学マッチングを形成する。第１の光学補償層１２０は波長３００ナノメートル〜４００ナノメートルの間で高吸収率を有する第１の吸収材料を含む。
【００３０】
詳しく言うと、第１の光学補償フィルム１２０は、少なくとも１つの第１の屈折率層１２２及び数が同じ少なくとも１つの第２の屈折率層１２４を備え、そのうち、第２の屈折率層１２４は該第１の吸収材料を含み、且つ第１の屈折率層１２２の屈折率が第２の屈折率層１２４の屈折率より低い。第１の屈折率層１２２及び第２の屈折率層１２４は、検出電極層１１０から離れる方向で、まず低屈折率、次に高屈折率で、検出電極層１１０の一方の側に交互に積層される。
【００３１】
本発明の１つ又は複数の実施形態では、基板１０２は硬質基板又はフレキシブル基板であってもよく、検出電極層１１０を支持することに用いられる。基板１０２は透明材料、例えばガラス、ポリカーボネート、ポリエチレンテレフタレート、ポリメチルメタクリレート、ポリスルホン又は環状オレフィン共重合体等から形成されてもよい。
【００３２】
本実施形態では、配置される第１の屈折率層１２２と第２の屈折率層１２４の数はそれぞれ２個であるが、本発明の他の実施形態では、第１の屈折率層１２２の数は１層、３層またはそれ以上であってもよく、第２の屈折率層１２４の数は第１の屈折率層１２２の数と同じである。
【００３３】
本実施形態では、第１の光学補償フィルム１２０は、検出電極層１１０の上に直接設置され、すなわち、そのうちの１つの第１の屈折率層１２２は検出電極層１１０に直接接触する。本発明の他の実施形態では、第１の光学補償フィルム１２０は検出電極層１１０の上に間接的に設置されてもよく、例えば、タッチパネル１００は、第１の光学補償フィルム１２０と検出電極層１１０との間に設置され、検出電極層１１０の表面を平坦にする、又は検出電極層１１０を保護するという役割を果たす平坦層（図示せず）を更に備える。
【００３４】
図１Ｂは本発明の他の実施形態に係るタッチパネル１００の断面図である。本実施形態は図１Ａの実施形態とほぼ同じであり、その差は、図１Ａの第１の光学補償フィルム１２０が検出電極層１１０と基板１０２との間に設置されるが、図１Ｂの第１の光学補償フィルム１２０が検出電極層１１０の基板１０２に対して他方の側に設置されることである。また、本発明の他の実施形態では、第１の光学補償フィルム１２０が検出電極層１１０の基板１０２に対して他方の側に設置される場合、タッチパネル１００は第１の光学補償フィルム１２０の検出電極層１１０に対して他方の側に位置するパッシベーション層（図示せず）を更に備えてもよい。
【００３５】
本発明の１つ又は複数の実施形態では、第１の光学補償フィルム１２０の第１の吸収材料は、窒化ケイ素（Ｓｉ３Ｎ４）又は酸窒化ケイ素（ＳｉＯＮ）又はその組み合わせであってもよい。言い換えれば、第２の屈折率層１２４の材料は窒化ケイ素（Ｓｉ３Ｎ４）又は酸窒化ケイ素（ＳｉＯＮ）又はその組み合わせであってもよい。一方では、本実施形態では、第１の屈折率層１２２の材料は、酸化ケイ素（ＳｉＯ２）又はフッ化マグネシウム（ＭｇＦ２）又はその組み合わせであってもよい。
【００３６】
本発明の１つ又は複数の実施形態では、第１の屈折率層１２２の屈折率は１．３〜１．５５であり、第２の屈折率層１２４の屈折率は１．６〜２．５である。本発明の１つ又は複数の実施形態では、第１の屈折率層１２２の厚さは１０ナノメートル〜５０ナノメートルであり、第２の屈折率層１２４の厚さは５ナノメートル〜２０ナノメートルである。
【００３７】
本発明の１つ又は複数の実施形態では、検出電極層１１０は複数種の電極配置態様を有し、指のタッチ位置を検出することに用いられ、検出電極層１１０は複数の積層構造からなり、本発明の実施例は、単層の誘導電極構造のタッチパネル構造のみを例とし、複数層の誘導電極構造を有するタッチパネルで、同様に本発明の技術的解決手段を採用して光学マッチング問題を解決することができると理解可能である。
【００３８】
図２Ａ及び図２Ｂを同時に参照すると、図２Ａは図１Ａのタッチパネル１００の一部の検出電極層１１０の局所上面図である。図２Ｂは図２Ａに示すタッチパネルのＩ−Ｉに沿う断面の検出電極層の局所断面図である。検出電極層１１０は、電極パターン層１１２、絶縁ブロック１１４及び接続線１１６を備えてもよい。電極パターン層１１２は、複数本の第１の軸方向Ｘに沿って配列された第１の電極１１２Ｘ及び複数本の第２の軸方向Ｙに沿って配列された第２の電極１１２Ｙを含む。本実施形態では、第１の軸方向Ｘと第２の軸方向Ｙは互いに垂直である。それぞれの第１の電極１１２Ｘは複数の第１の導電部１１２ＸＡ及び複数の第１の接続線１１２ＸＢを備え、第１の軸方向Ｘで隣接する２つの第１の導電部１１２ＸＡは第１の接続線１１２ＸＢを介して接続され、且つ電気的に接続される。第２の軸方向Ｙで隣接する２つの第２の電極１１２Ｙは接続線１１６を介して接続され、且つ電気的に接続される。
【００３９】
本実施形態では、絶縁ブロック１１４は、電極パターン層１１２と接続線１１６との間に設置され、それにより接続線１１６が電極パターン層１１２にまたがって接続されている。本発明の一部の実施形態では、第１の接続線１１２ＸＢと接続線１１６は互いに交差し、すなわち第１の接続線１１２ＸＢと接続線１１６の投影は交差し、第１の電極１１２Ｘと第２の電極１１２Ｙが電気的に絶縁されるように、絶縁ブロック１１４は交差する第１の接続線１１２ＸＢと接続線１１６との間に設置される。
【００４０】
本発明の１つ又は複数の実施形態では、検出電極層１１０の製造過程では、まず第１の光学補償フィルム１２０（図１Ａを参照）又は基板１０２（図１Ｂを参照）に電極パターン層１１２（すなわち第１の導電部１１２ＸＡ、第１の接続線１１２ＸＢ及び第２の電極１１２Ｙ）を形成し、次に絶縁ブロック１１４を形成した後、更に接続線１１６を形成して第２の電極１１２Ｙにまたがって接続することができる。本発明の他の実施形態では、まず第１の光学補償フィルム１２０又は基板１０２に接続線１１６を形成し、次に絶縁ブロック１１４を形成した後、更に電極パターン層１１２（すなわち第１の導電部１１２ＸＡ、第１の接続線１１２ＸＢ及び第２の電極１１２Ｙ）を形成することもできる。
【００４１】
ここで、電極パターン層１１２、絶縁ブロック１１４、接続線１１６は透明材料からなってもよい。例えば、電極パターン層１１２は透明な導電性材料（例えば、酸化インジウムスズ（Indium tin oxide、ITO））をエッチングして形成されてもよく、接続線１１６は酸化インジウムスズからなってもよい。又は、接続線１１６は金属から製造されてもよい。実際の応用で、接続線１１６はタッチパネル１００の周辺回路と同期的に製造してなってもよい。検出電極層１１０は実際の感度、回路等のニーズに応じて設計され、ここで例示する回路構成は本発明の範囲を限定するものではない。
【００４２】
図１Ａに戻ると、本発明の１つ又は複数の実施形態では、タッチパネル全体は入射光を受光した後、第１の光学補償フィルムは入射光がタッチパネルの各層（例えば、検出電極層等）を通過して形成する反射光の色調を調和することができる。このように、第１の光学補償フィルム１２０は検出電極層１１０でのパターニングプロセスによる反射率の差異を補償し、電極パターン層１１２、絶縁ブロック１１４、接続線１１６（図２Ａを参照）が敷設された領域と電極パターン層１１２、絶縁ブロック１１４、接続線１１６（図２Ａを参照）が敷設されていない領域との高低帯域波長の光線での反射率の差が小さく、これによりタッチパネル１００が外部光源に対して反射した反射光の色調を自然光に近くするように効果的に調整し、青みがかったり、黄色がかったりすることがない。
【００４３】
この他、従来の、光学補償を行う材料（例えば酸化ニオブ、酸化チタン）は、小さいエネルギーギャップを有し、紫外線照射の影響を受けて電子が遷移するようになりやすく、更にこれらの材料は導電性になる。本発明の１つ又は複数の実施形態では、第１の光学補償フィルム１２０が吸収材料を有するように設置することにより、この吸収材料は吸収した光エネルギーを熱エネルギーに変換してリリースする。このように、第１の光学補償フィルム１２０を通過する紫外線が吸収されて熱エネルギーになってリリースされるように配置することにより、第１の光学補償フィルム１２０内の吸収材料又は他の材料が紫外線照射の影響を受けて電子遷移を励起することを防止することができ、更に第１の光学補償フィルム１２０が導電性になることを回避する。
【００４４】
このように、第１の光学補償フィルム１２０の積層設計が検出電極層１１０でパターニングプロセスによる反射率差異を補償し、且つ、紫外線帯域の照射の影響を受けて発生する導電などの問題を回避するように、第１の光学補償フィルム１２０が紫外線帯域を吸収可能な材料を有し、従って、本実施形態はタッチパネル１００の信頼性及び光学品質を同時に向上させることができる。
【００４５】
図３を参照すると、図３は本発明の他の実施形態に係るタッチパネル１００の断面図である。本実施形態は図１Ａの実施形態と類似し、その差は、本実施形態のタッチパネル１００が検出電極層１１０の第１の光学補償フィルム１２０に対して他方の側に設置される第２の光学補償フィルム１３０を更に備え、言い換えれば、本実施形態の第１の光学補償フィルム１２０及び第２の光学補償フィルム１３０が、検出電極層１１０の反対の両側に設置されることである。具体的には、本実施形態の第１の光学補償フィルム１２０は検出電極層１１０の上に設置され、第２の光学補償フィルム１３０は検出電極層１１０の下に設置される。
【００４６】
詳しく言うと、第２の光学補償フィルム１３０もまた、少なくとも１つの第３の屈折率層１３２及び数が同じ少なくとも１つの第４の屈折率層１３４を備え、そのうち、第４の屈折率層１３４は該第２の吸収材料を含み、且つ第３の屈折率層１３２の屈折率は第４の屈折率層１３４の屈折率より低い。第３の屈折率層１３２及び第４の屈折率層１３４は、検出電極層１１０から離れる方向で、まず低屈折率、次に高屈折率で、検出電極層１１０に交互に積層される。
【００４７】
第２の光学補償フィルム１３０及び第１の光学補償フィルム１２０は組み合わさり、且つ検出電極層１１０と光学マッチングを形成する。ここで、配置される第３の屈折率層１３２の数はそれぞれ１、２、３層またはそれ以上であってもよく、第４の屈折率層１３４の数は第３の屈折率層１３２の数と対応する。ただし、第１の光学補償フィルム１２０と第２の光学補償フィルム１３０の積層構造は同じであってもよいし、異なっていてもよい。第２の光学補償フィルム１３０は検出電極層１１０の上に直接又は間接的に設置されてもよい。
【００４８】
前述した第１の屈折率層１２２及び第２の屈折率層１２４のように、第２の光学補償フィルム１３０の第２の吸収材料は窒化ケイ素（Ｓｉ３Ｎ４）又は酸窒化ケイ素（ＳｉＯＮ）又はその組み合わせであってもよく、つまり、第４の屈折率層１３４の材料は窒化ケイ素（Ｓｉ３Ｎ４）又は酸窒化ケイ素（ＳｉＯＮ）又はその組み合わせであってもよい。一方で、本実施形態では、第３の屈折率層１３２の材料は酸化ケイ素（ＳｉＯ２）又はフッ化マグネシウム（ＭｇＦ２）又はその組み合わせであってもよい。ただし、第１の光学補償フィルム１２０と第２の光学補償フィルム１３０の材料は同じであってもよいし、異なっていてもよい。
【００４９】
前述した第１の屈折率層１２２及び第２の屈折率層１２４のように、本発明の１つ又は複数の実施形態では、第３の屈折率層１３２の屈折率は１．３〜１．５５であり、第４の屈折率層１３４の屈折率は１．６〜２．５である。第３の屈折率層１３２の厚さは１０ナノメートル〜５０ナノメートルであり、第４の屈折率層１３４の厚さは５ナノメートル〜２０ナノメートルである。
【００５０】
ただし、検出電極層１１０の厚さは往々にして実際の設計ニーズに応じて決定され、例えば、大型タッチパネルでは、低線抵抗の要件を満たすように、検出電極層１１０の厚さは相対的に厚く設計する必要がある。このようにすると、検出電極層１１０のパターニングに起因するエッチングラインがより明確に視認できる。本実施形態では、検出電極層１１０の両側にいずれも光学補償層を配置することにより、エッチングラインを簡単に視認できなくすることができる。
【００５１】
前述したように、本発明の１つ又は複数の実施形態では、第１の光学補償フィルム１２０及び第２の光学補償フィルム１３０は組み合わさり、且つタッチパネル１００と光学マッチングを形成する。タッチパネル１００全体は入射光を受光した後、第１の光学補償フィルム１２０及び第２の光学補償フィルム１３０が組み合わさって、入射光がタッチパネル１００の各層（例えば、検出電極層等）を通過して形成する反射光の色調を調和することができる。
【００５２】
このように、図１Ａに示す実施形態のように、第１の光学補償フィルム１２０と第２の光学補償フィルム１３０の積層設計が検出電極層１１０でパターニングプロセスによる反射率の差異を補償し、且つ、紫外線帯域の照射の影響を受けて発生する導電などの問題を回避するように、第１の光学補償フィルム１２０及び第２の光学補償フィルム１３０が紫外線帯域を吸収可能な材料を有し、従って、本実施形態はタッチパネル１００の信頼性及び光学的品質を同時に向上させることができる。
【００５３】
図４を参照すると、図４は本発明の別の実施形態に係るタッチパネル１００の断面図である。本実施形態では、基板１０２は強化カバーであってもよく、基板１０２の検出電極層１１０に対向する側は直接的に使用者に使用され、基板１０２は検出電極層１１０を支持する他に、更に高い保護効果を提供することができる。本実施形態は図１Ａに示す実施形態とほぼ同じであり、その差は、タッチパネル１００が遮蔽ユニット１５０を更に備えることである。遮蔽ユニット１５０は基板１０２と検出電極層１１０との間の周辺に設置され、遮蔽ユニット１５０はタッチパネル１００の可視領域Ｖ及び非可視領域ＩＶを定義することに用いられる。このように、遮蔽ユニット１５０はタッチパネル１００の周辺回路を遮蔽することに用いられ、周辺回路が光線を反射して映像品質に影響することを防止することができる。遮蔽ユニット１５０は不透光材、例えば黒色インクで形成される。本発明の１つ又は複数の実施形態では、第１の光学補償フィルム１２０は遮蔽ユニット１５０と基板１０２との間に位置してもよく、それにより、可視領域Ｖは、作用しない場合、その不透明の程度が非可視領域ＩＶと近くなる。
【００５４】
前述したように、本実施形態では、第１の光学補償フィルム１２０を基板１０２と検出電極層１１０との間又は検出電極層１１０の基板１０２に対して他方の側に選択的に設置してもよく、第１の光学補償フィルム１２０と第２の光学補償フィルム１３０を同時に検出電極層１１０の両側に設置してもよい。
【００５５】
前述したように、第１の光学補償フィルム１２０又は第２の光学補償フィルム１３０を設置することにより、可視領域Ｖ内において電極パターン層１１２、絶縁ブロック１１４、接続線１１６（図２Ａを参照）による光の反射むらを低減することができ、且つ第１の光学補償フィルム１２０及び第２の光学補償フィルム１３０は紫外線を吸収可能な材料を有するため、第１の光学補償フィルム１２０及び第２の光学補償フィルム１３０は紫外線の照射の影響を受けて導電性になりにくく、従ってタッチパネル１００の信頼性及び光学的品質を向上させる。
【００５６】
図５を参照すると、図５は本発明の別の実施形態に係るタッチパネル１００の断面図である。本実施形態は図１Ａに示す実施形態と類似し、その差は、本実施形態では、タッチパネル１００がカバー１４０を含んでもよいことである。カバー１４０は光学接着層２４０によって検出電極層１１０の基板１０２に対して他方の側に貼り合わせられて、頑丈なタッチパネル１００を形成する。一部の実施形態では、基板１０２は可撓性材で形成されてもよく、厚さが薄く、且つそれに貼り合わせられたカバー１４０によって構造強度を維持する。一部の実施形態では、基板１０２は強化基板であってもよく、カバー１４０に貼り合わせると全体の構造強度を強化する。
【００５７】
ただし、本実施形態では、同様に第１の光学補償フィルム１２０を基板１０２と検出電極層１１０との間又は検出電極層１１０の基板１０２に対して他方の側に選択的に設置してもよく、第１の光学補償フィルム１２０と第２の光学補償フィルム１３０を検出電極層１１０の両側に同時に設置してもよい。
【００５８】
本実施形態では遮蔽ユニット（図４を参照）が設置されていないが、これは本発明の範囲を限定するためのものではない。周辺回路の反射を遮蔽するように、本実施形態のカバー１４０に、関連する遮蔽構造が設置されてもよい。
【００５９】
以上のように、本発明の一実施形態は紫外線抵抗性を有し色差の光学的問題を解決できるタッチパネルを提供しており、検出電極層の光学特性と組み合わせて、光学補償層を設計して製造し、この光学補償層が紫外線を熱エネルギーに変換してリリースできるように設計し、紫外線照射から生じる問題を回避することができ、タッチパネルの映像品質及び信頼性を向上させる。
【００６０】
本発明の複数種の実施形態を説明したが、それは本発明を限定するためのものではない。当業者は、本発明の精神及び範囲を逸脱することなく、様々な修飾及び変更を加えることができ、従って、本発明の保護範囲は添付の特許請求の範囲により限定される。
【図１Ａ】
2016162454.tif 000003
【図１Ｂ】
2016162454.tif 000004
【図２Ａ】
2016162454.tif 000005
【図２Ｂ】
2016162454.tif 000006
【図３】
2016162454.tif 000007
【図４】
2016162454.tif 000008
【図５】
2016162454.tif 000009